(57)【要約】【課題】本発明は、統制局が通信機器のグループ通信番号を設定変更できるようにすることを目的とする。【解決手段】本発明の無線通信システムは、複数の通信機器と、基地局を含む統制局を有し、通信機器と基地局とが無線により通信する無線通信システムであって、統制局は、基地局を介して通信機器に対して無線によりグループ通信番号の設定変更情報を送信し、  通信機器は前記グループ通信番号の設定変更情報を受信すると、当該設定変更情報に基づいて自身のグループ通信番号を変更することを特徴とする。【選択図】  図１
2015070387.tif 000002
【特許請求の範囲】
【請求項１】
複数の通信機器と、基地局を含む統制局を有し、前記通信機器と前記基地局とが無線により通信する無線通信システムにおいて、
前記統制局は、前記基地局を介して前記通信機器に対して無線によりグループ通信番号の設定変更情報を送信し、
前記通信機器は前記グループ通信番号の設定変更情報を受信すると、当該設定変更情報に基づいて自身のグループ通信番号を変更することを特徴とする無線通信システム。
【請求項２】
請求項１に記載の無線通信システムにおいて、
前記通信機器は、グループ通信番号を設定変更すると、前記統制局に応答信号を返信することを特徴とする無線通信システム。
【請求項３】
請求項１または請求項２に記載の無線通信システムにおいて、
前記統制局はさらにグループ通信を行う通信卓を備え、
前記通信卓は、設定変更されたグループ通信番号の情報が通知されることを特徴とする無線通信システム。
【請求項４】
請求項１〜３のいずれか１項に記載の無線通信システムにおいて、
前記統制局は、前記グループ通信番号の設定変更にショートメッセージを使用することを特徴とする無線通信システム。
【請求項５】
請求項２に記載の無線通信システムにおいて、
前記統制局は、前記通信機器から応答信号が所定時間内に返信されない場合、再度、グループ通信番号の設定変更情報を送信することを特徴とする無線通信システム。
【発明の詳細な説明】
【技術分野】
【０００１】
本発明は、無線通信システムに関し、特にグループ通信に関するものである。
【背景技術】
【０００２】
従来から、複数の通信機器（例えば移動局、以下、移動局という）が基地局を介して、他の移動局や基地局に接続された通信卓（指令台）と通信を行う無線通信システムがある。
このような無線通信システムでは、複数の移動局、または、複数の移動局と通信卓が一つの通信（呼）に同時に接続され、互いに音声やデータを送受信するグループ通信がある。
なお、従来からグループ通信時などの通信においてハウリングや話し辛さを防止するために、通話信号に送信元の識別子を入れ、自局と同じ識別子の音声信号を受信した場合はスピーカとレシーバをオフにする技術がある（例えば、特許文献１参照）。
【先行技術文献】
【特許文献】
【０００３】
【特許文献１】特開２０１３−４８３２３号公報
【発明の概要】
【発明が解決しようとする課題】
【０００４】
ところで、従来の無線通信システムでは、移動局や通信卓に事前に設定されているグループ番号でしかグループ通信を行うことができず、運用中にグループ通信を行うメンバ（移動局）を変更等することはできなかった。
本発明は、複数の通信機器によるグループ通信の設定を変更できるようにすることを目的とする。
【課題を解決するための手段】
【０００５】
本発明の無線通信システムは、複数の通信機器と、基地局を含む統制局を有し、通信機器と基地局とが無線により通信する無線通信システムであって、統制局は、基地局を介して通信機器に対して無線によりグループ通信番号の設定変更情報を送信し、前記通信機器は前記グループ通信番号の設定変更情報を受信すると、当該設定変更情報に基づいて自身のグループ通信番号を変更することを特徴とする。
【０００６】
本発明の無線通信システムは、複数の通信機器と、基地局を含む統制局を有し、通信機器と基地局とが無線により通信する無線通信システムであって、統制局は基地局を介して通信機器に対して無線によりグループ通信番号の設定変更情報を送信し、通信機器はグループ通信番号を設定変更すると統制局に応答信号を返信することを特徴とする。
【０００７】
本発明の無線通信システムは、複数の通信機器と、基地局を含む統制局を有し、通信機器と基地局とが無線により通信する無線通信システムであって、統制局は基地局を介して通信機器に対して無線によりグループ通信番号の設定変更情報を送信し、統制局はさらにグループ通信を行う通信卓を備え、通信卓は設定変更されたグループ通信番号の情報が通知されることを特徴とする。
【０００８】
本発明の無線通信システムは、複数の通信機器と、基地局を含む統制局を有し、通信機器と基地局とが無線により通信する無線通信システムであって、統制局は基地局を介して通信機器に対して無線によりグループ通信番号の設定変更情報を送信し、統制局はグループ通信番号の設定変更にショートメッセージを使用することを特徴とする。
【０００９】
本発明の無線通信システムは、複数の通信機器と、基地局を含む統制局を有し、通信機器と基地局とが無線により通信する無線通信システムであって、統制局は基地局を介して通信機器に対して無線によりグループ通信番号の設定変更情報を送信し、通信機器はグループ通信番号を設定変更すると統制局に応答信号を返信し、統制局は通信機器から応答信号が所定時間内に返信されない場合、再度、グループ通信番号の設定変更情報を送信することを特徴とする。
【発明の効果】
【００１０】
本発明によれば、複数の通信機器によるグループ通信の設定を変更することができる。
【図面の簡単な説明】
【００１１】
【図１】本発明の一実施例に係る無線通信システムの構成の一例を示す図である。
【図２】本発明の一実施例である無線通信システムの動作を説明するためのシーケンス図である。
【図３】本発明の一実施例である消防関係の無線通信システムの動作を説明するためのシーケンス図である。
【図４】本発明の他の一実施例に係る無線通信システムの構成の一例を示す図である。
【発明を実施するための形態】
【００１２】
以下、本発明の一実施例について図面を用いて説明する。
図１は、本発明の一実施例に係る無線通信システムの構成の一例を示す図である。なお、本実施例では無線通信システムが消防活動に利用される消防無線システムである場合を例にあげて説明する。
本発明の一実施例である無線通信システム１００は、基地局１２０を含む統制局１０１と、複数の通信機器の一例である移動局１３０（以下、移動局の総称とする）を有している。
移動局１３０は、例えば、車載局１３１−１〜１３１−３、携帯局１３２−１〜１３２−４、可動局１３３−１〜１３１−２、受信専用無線機１３４−１等である。移動局１３０は、初期設定として、個別番号およびグループ通信番号（例えば、グループ番号１）が付与されている。
なお、基地局や移動局の数は、図１に限定されるものではない。
【００１３】
統制局１０１は、回線制御装置１１１に接続された通信卓１１２と、指令系装置１１３と、基地局１２０を有している。
回線制御装置１１１は、例えば有線で通信卓１１２と基地局１２０と接続されており、これらの間の通信を中継し、また、通信回線の接続制御など各種の制御を行う。
通信卓１１２は、操作者（オペレータ）がデータ通信や通話を行うものであり、各種の指示や情報を入力することができる。
指令系装置１１３は、１１９番通報受付から活動終了までを管理する装置であり、消防署や移動局１３０に指令を行うものである。なお、指令系装置１１３は、通信卓１１２からの各種の指示や情報と、移動局１３０の各種管理情報を記憶していてもよい。
【００１４】
基地局１２０は、送信（Ｔｘ）アンテナ１２１及び受信（Ｒｘ）アンテナ１２２が設けられている。
基地ゾーン１２３は、基地局１２０の送受信範囲（通信エリア）である。
基地局１２０は、基地ゾーン１２３に存在する移動局である車載局１３１−１〜１３１−２、携帯局１３２−１〜１３２−２、可動局１３３−１〜１３１−２、受信専用無線機１３４−１等の間で無線により通信する。
基地局１２０の基地ゾーン１２３内において、基地局１２０の下り無線キャリアとして周波数ｆ２が使用され、基地局１２０の上り無線キャリアとして周波数ｆ１が使用される。基地ゾーン１２３外では、移動局装置間での直接通信用キャリアとして周波数ｆ３が使用される。ここで、各周波数ｆ１、ｆ２、ｆ３は、例えば、それぞれ異なる周波数である。
【００１５】
図２は本発明の一実施例である無線通信システムの動作を説明するためのシーケンス図である。
指令系装置１１３は、電源が投入されると（２００１）、指令系装置１１３にとってシステム運用上必要なシステム設定情報が記憶されているデータファイルを読込む（２０１１）。
通信卓１１２は、電源が投入されると（２００２）、通信卓１１２にとってシステム運用上必要なシステム設定情報が記憶されているデータファイルを読込む（２０１２）。
基地局１２０は、電源が投入されると（２００４）、次の処理に進む。
回線制御装置１１１は、電源が投入されると（２００３）、回線制御装置１１１にとってシステム運用上必要なシステム設定情報が記憶されているデータファイルを読込み（２０１３）、基地局１２０にグループ通信情報を配信する（２０２３）。
【００１６】
個別番号００１を有する移動局１３１−１は、電源が投入されると（２００５）、システム運用上必要なシステム設定情報を設定するための設定機器を接続し（２０１５）、初期設定として個別番号やグループ通信番号（ここではグループ番号１）等を設定する（２０２５）。
個別番号００２を有する移動局１３２−１は、電源が投入されると（２００６）、システム運用上必要なシステム設定情報を設定するための設定機器を接続し（２０１６）、初期設定として個別番号やグループ通信番号（ここではグループ番号１）等を設定する（２０２６）。
個別番号００３を有する移動局１３３−１は、電源が投入されると（２００７）、システム運用上必要なシステム設定情報を設定するための設定機器を接続し（２０１７）、初期設定として個別番号やグループ通信番号（ここではグループ番号１）等を設定する（２０２７）。
個別番号００４を有する移動局１３３−２は、電源が投入されると（２００８）、システム運用上必要なシステム設定情報を設定するための設定機器を接続し（２０１８）、初期設定として個別番号やグループ通信番号（ここではグループ番号１）等を設定する（２０２８）。
個別番号００５を有する移動局１３２−２は、電源が投入されると（２００９）、システム運用上必要なシステム設定情報を設定するための設定機器を接続し（２０１９）、初期設定として個別番号やグループ通信番号（ここではグループ番号１）等を設定する（２０２９）。
【００１７】
そして、各装置が各種設定を完了後、無線通信システム１００はシステム運用を開始する（２０３０）。
次に、システム運用中に移動局１３０のグループ通信番号の設定変更について説明する。
指令系装置１１３は、例えば、グループ通信番号に新たにグループ番号９が設定され（２０４１）、オペレータからグループ番号９を付与する対象移動局として、個別番号００１と００２の移動局が指定されると（２０５１）、グループ通信を行う移動局にグループ通信番号を付与する動作を開始する。具体的には、指令系装置１１３は、回線制御装置１１１にグループ通信番号配信および通話起動指示を送信する（２０６１）。
【００１８】
回線制御装置１１１は、通信卓１１２にグループ通信番号配信および通話起動指示を送信する（２０６３）。
通信卓１１２は、グループ通信番号配信および通話起動指示を受信すると、それらに基づいて自身のシステム設定情報を更新するとともに、グループ通信番号のグループ番号９を対象移動局（個別番号００１、００２）に通知するための処理を開始する（２０７２）。
通信卓１１２は、回線制御装置１１１にグループ番号９のグループ通信番号を通知する（２０８２）。
【００１９】
回線制御装置１１１は、基地局１２０にグループ番号９のグループ通信番号を通知する（２０８３）。
基地局１２０は、個別番号００１の移動局１３１−１にグループ番号９のグループ通信番号を通知する（２０８４）。
移動局１３１−１は、グループ通信番号にグループ番号９を設定し、基地局１２０に通知受信応答を返信する（２０９５）。
基地局１２０は、回線制御装置１１１に移動局１３１−１からの通知受信応答を送信する（２０９４）。
【００２０】
回線制御装置１１１は、基地局１２０にグループ番号９のグループ通信番号を通知する（２１０３）。
基地局１２０は、個別番号００２の移動局１３２−１にグループ番号９のグループ通信番号を通知する（２１０４）。
移動局１３２−１は、グループ通信番号にグループ番号９を設定し、基地局１２０に通知受信応答を返信する（２１１６）。
基地局１２０は、回線制御装置１１１に移動局１３２−１からの通知受信応答を送信する（２１１４）。
回線制御装置１１１は、通信卓１１２にグループ番号９の通知完了を送信する（２１１３）。
【００２１】
通信卓１１２は、通知したグループ番号９に合わせて図示していない表示装置の表示画面を変更する（２１２２）。
次に、通信卓１１２は、グループ通話起動の処理を開始し（２１３２）、回線制御装置１１１にグループ番号９のグループ通話起動を送信する（２１４２）。
回線制御装置１１１は、基地局１２０にグループ番号９のグループ通話起動を送信する（２１４３）。
【００２２】
基地局１２０は、移動局１３１−１にグループ番号９のグループ通話起動を送信し（２１４４）、移動局１３２−１にグループ番号９のグループ通話起動を送信し（２１５４）、移動局１３３−１にグループ番号９のグループ通話起動を送信し（２１６４）、移動局１３３−２にグループ番号９のグループ通話起動を送信し（２１７４）、移動局１３２−２にグループ番号９のグループ通話起動を送信する（２１８４）。
【００２３】
次に、無線通信システム１００は、グループ番号９の通話を開始する（２１９０）。
無線通信システム１００は、グループ番号９の通話を開始したため、個別番号００１と００２以外の移動局は通話に参加できず、さらに受信もできない。
すなわち、無線通信システム１００がグループ番号９の通話を開始した場合、統制局１０１は、グループ番号９を設定した個別番号００１の移動局１３１−１と、個別番号００２の移動局１３２−１に通話を限定したグループ通信を実現できる。
以上のことから、統制局が通信機器のグループ通信番号を容易に設定変更できる。また、通信機器のグループ通信番号を設定変更することにより、グループ通信の秘匿性を確保することができる。
【００２４】
次に、本発明の一実施例である消防関係の無線通信システムの動作について図３を用いて説明する。
図３は本発明の一実施例である消防関係の無線通信システムの動作を説明するためのシーケンス図である。
Ａ消防署１４１管轄の通信機器（例えば、グループ通信番号はグループ番号１１）は、指揮車の移動局（以下、指揮車と称する）１４１−１、救急車の移動局（以下、救急車と称する）１４１−２、消防車の移動局（以下、消防車と称する）１４１−３、梯子車の移動局（以下、梯子車と称する）１４１−４である。
また、Ｂ消防署１４２管轄の通信機器（例えば、グループ通信番号はグループ番号１２）は、指揮車の移動局（以下、指揮車と称する）１４２−１、救急車の移動局（以下、救急車と称する）１４２−２、消防車の移動局（以下、消防車と称する）１４２−３である。
【００２５】
本発明の一実施例である消防関係の無線通信システムは、Ａ消防署１４１管轄の通信機器と、Ｂ消防署１４２管轄の通信機器を同じグループ通信番号を例えば、グループ番号１９に変更して、通話可能となる。
【００２６】
以下、詳細な動作について説明する。
指令系装置１１３は、１１９番通報を受け付けると（３０１）、災害地点と種別の決定、出動隊の編成、出動指令を出す（３０２）。
出動隊の編成は、例えば、Ａ消防署１４１管轄の梯子車１４１−４と工作車１４１−５、およびＢ消防署１４２管轄の指揮車１４２−１と救急車１４２−２と消防車１４２−３とする。
【００２７】
指令系装置１１３は、回線制御装置１１１にデジタル無線起動（グループ番号、対象移動局情報通知）を送信する（３０３）。
回線制御装置１１１は、通信卓１１２にデジタル無線起動（グループ番号、対象移動局情報通知）を送信する（３０４）と共に、対象車両の移動局へ変更するグループ番号（例えば、グループ番号１９）を順次通知する（３０７）。
通信卓１１２は、デジタル無線起動（グループ番号、対象移動局情報通知）を認識すると（３０５）、表示画面の表示内容を変更する（３０６）。
【００２８】
回線制御装置１１１は基地局１２０にグループ通信番号の変更通知を送信する（３０８）。基地局１２０は個別番号１０４の梯子車１４１−４にグループ通信番号の変更通知を送信する（３０９）。梯子車１４１−４はグループ通信番号を“グループ番号１１”から“グループ番号１９”に変更し（３１０）、基地局１２０に通知受信応答を返信する（３１１）。基地局１２０は回線制御装置１１１に梯子車１４１−４からの通知受信応答を送信する（３１２）。
【００２９】
回線制御装置１１１は基地局１２０にグループ通信番号の変更通知を送信する（３１３）。基地局１２０は個別番号１０５の工作車１４１−５にグループ通信番号の変更通知を送信する（３１４）。工作車１４１−５はグループ通信番号を“グループ番号１１”から“１グループ番号９”に変更し（３１５）、基地局１２０に通知受信応答を返信する（３１６）。基地局１２０は回線制御装置１１１に工作車１４１−５からの通知受信応答を送信する（３１７）。
【００３０】
回線制御装置１１１は基地局１２０にグループ通信番号の変更通知を送信する（３１８）。基地局１２０は個別番号２０１の指揮車１４２−１にグループ通信番号の変更通知を送信する（３１９）。指揮車１４２−１はグループ通信番号を“グループ番号１２”から“グループ番号１９”に変更し（３２０）、基地局１２０に通知受信応答を返信する（３２１）。基地局１２０は回線制御装置１１１に指揮車１４２−１からの通知受信応答を送信する（３２２）。
【００３１】
回線制御装置１１１は基地局１２０にグループ通信番号の変更通信通知を送信する（３２３）。基地局１２０は個別番号２０２の救急車１４２−２にグループ通信番号の変更通知を送信する（３２４）。救急車１４２−２はグループ通信番号を“グループ番号１２”から“グループ番号１９”に変更し（３２５）、基地局１２０に通知受信応答を返信する（３２６）。基地局１２０は回線制御装置１１１に救急車１４２−２からの通知受信応答を送信する（３２７）。
【００３２】
回線制御装置１１１は基地局１２０にグループ通信番号の変更通知を送信する（３２８）。基地局１２０は個別番号２０３の消防車１４２−３にグループ通信番号の変更通知を送信する（３２９）。消防車１４２−３はグループ通信番号を“グループ番号１２”から“グループ番号１９”に変更し（３３０）、基地局１２０に通知受信応答を返信する（３３１）。基地局１２０は回線制御装置１１１に消防車１４２−３からの通知受信応答を送信する（３３２）。
回線制御装置１１１は、指令系装置１１３にグループ通信番号変更の通知が完了したことを送信し（３３３）、通信卓１１２にグループ通信番号変更の通知が完了したことを送信する（３３４）。
【００３３】
指令系装置１１３、通信卓１１２、回線制御装置１１１は、現場管理を開始する（３３５）。
消防関係の無線通信システムは、無線通話を開始する（３３６）。
所定のグループ通信番号による無線通話が行える移動局は、グループ通信番号を“グループ番号１９”に変更したＡ消防署１４１管轄の梯子車１４１−４、工作車１４１−５、工作車１４１−５と、グループ通信番号を“グループ番号１９”に変更したＢ消防署１４２管轄の指揮車１４２−１、救急車１４２−２、消防車１４２−３である。
グループ通信番号を変更していない移動局は当該の通話対象外で通話に参加できず、受信もすることができない。
【００３４】
指令系装置１１３、通信卓１１２、回線制御装置１１１は、現場管理を終了する（３３７）。
指令系装置１１３は、回線制御装置１１１に活動終了通知を送信する（３３８）。
回線制御装置１１１は、通信卓１１２に活動終了通知を送信する（３３９）。
【００３５】
回線制御装置１１１は基地局１２０に活動終了通知を送信する（３４０）。基地局１２０は個別番号１０４の梯子車１４１−４に活動終了通知を送信する（３４１）。梯子車１４１−４はグループ通信番号を元の番号である“グループ番号１１”に戻し（３４２）、基地局１２０に通知受信応答を返信する（３４３）。基地局１２０は回線制御装置１１１に梯子車１４１−４からの通知受信応答を送信する（３４４）。
【００３６】
回線制御装置１１１は基地局１２０に活動終了通知を送信する（３４５）。基地局１２０は個別番号１０５の工作車１４１−５に活動終了通知を送信する（３４６）。工作車１４１−５はグループ通信番号を元の番号である“グループ番号１１”に戻し（３４７）、基地局１２０に通知受信応答を返信する（３４８）。基地局１２０は回線制御装置１１１に工作車１４１−５からの通知受信応答を送信する（３４９）。
【００３７】
回線制御装置１１１は基地局１２０に活動終了通知を送信する（３５０）。基地局１２０は個別番号２０１の指揮車１４２−１に活動終了通知を送信する（３５１）。指揮車１４２−１はグループ通信番号を元の番号である“グループ番号１２”に戻し（３５２）、基地局１２０に通知受信応答を返信する（３５３）。基地局１２０は回線制御装置１１１に指揮車１４２−１からの通知受信応答を送信する（３５４）。
【００３８】
回線制御装置１１１は基地局１２０に活動終了通知を送信する（３５５）。基地局１２０は個別番号２０２の救急車１４２−２に活動終了通知を送信する（３５６）。救急車１４２−２はグループ通信番号を元の番号である“グループ番号１２”に戻し（３５７）、基地局１２０に通知受信応答を返信する（３５８）。基地局１２０は回線制御装置１１１に救急車１４２−２からの通知受信応答を送信する（３５９）。
【００３９】
回線制御装置１１１は基地局１２０に活動終了通知を送信する（３６０）。基地局１２０は個別番号２０３の消防車１４２−３に活動終了通知を送信する（３６１）。消防車１４２−３はグループ通信番号を元の番号“グループ番号１２”に戻し（３６２）、基地局１２０に通知受信応答を返信する（３６３）。基地局１２０は回線制御装置１１１に消防車１４２−３からの通知受信応答を送信する（３６４）。
【００４０】
回線制御装置１１１は、指令系装置１１３に活動終了通知が完了したことを送信する（３６５）。指令系装置１１３は活動を終了する（３６６）。
回線制御装置１１１は、通信卓１１２に活動終了通知が完了したことを送信する（３６７）。通信卓１１２は、表示画面の表示内容を元に戻す（３６８）。
以上の通り、活動の発生に応じてグループ通信のメンバを構成でき、当該活動が終了するとグループ通信のメンバを解除（リセット）することができるので、活動の事案毎にフレキシブルにグループ通信を構成することができる。
【００４１】
ここで、隊を再編成した場合、新たに追加された車両の通信機器へは、本事案の管理のためのデジタル無線通信で使用するグループ番号を通知する。削除された車両の通信機器へは、活動終了通知を通知する。こうすることで、事案発生中においても、指令系装置１１３は各通信機器のグループ番号を適宜変更できる。
なお、本実施例においてグループ番号の設定、変更に係る基地局、通信機器間の無線信号は制御チャネルや制御スロットを用いて行われることが好ましい。例えば、本無線通信システムがＦＤＭＡ（Frequency  Division  Multiple  Access）方式やＭＣＡ（Multi  Channel  Access）方式の場合は制御チャネルにて行われ、ＴＤＭＡ（Time  Division  Multiple  Access）方式の場合は制御スロットを用いて行われる。
また、本無線通信システムが制御専用の制御チャネルや制御スロットを有していないシステムであれば、通信用の無線チャネルを用いて、非通信時に上述したグループ番号の設定、変更処理を行うことが好ましい。
【００４２】
次に、本発明の他の一実施例について図４を用いて説明する。
図４は、本発明の他の一実施例に係る無線通信システムの構成の一例を示す図である。本無線通信システムは制御チャネルを有していない非常送のデジタル無線通信システムである。
通常運用時は、センター設備（統制局）４０１の指令台４１３や通信卓４１２から回線制御装置４１１及び基地局４２０を介して全ての移動局４３１〜４３６に対して一斉通信にて通話を行う。
【００４３】
例えば、火事等の事案Ａが発生すると、センター設備４０１は当該事案に必要な車両を編成し（４２３）、対象車両の移動局４３１及び移動局４３３を含めたグループ通信番号のグループ番号Ａを生成する。
センター設備４０１は、対象の移動局４３１及び移動局４３３に対して個別ショートメッセージ通信によりグループ通信番号をグループ番号Ａに設定変更することを意味した特定コードを送信する。なお、特定コードはセンター設備及び無線機器に予め設定されているものとする。
【００４４】
移動局４３１及び移動局４３３は、個別ショートメッセージを受信すると、特定コードに基づいて一斉の待受け状態から自動的にグループ通信番号がグループ番号Ａの待受け状態に設定変更し、事案Ａを対象としたグループ通信に参入可能となる。
移動局４３１及び移動局４３３は、グループ通信番号の設定変更するのと合わせてセンター設備４０１に対して応答を送信する。
【００４５】
センター設備４０１は、応答を監視することで当該車両の移動局４３１，４３３がグループ設定変更されたかを識別する。センター設備４０１は所定時間内に応答が来ない移動局に対して再度個別ショートメッセージを送信する。
なお、センター設備４０１は、応答が来ない移動局に対して応答が来るまで個別ショートメッセージを再送してもよく、また、再送の回数を設定してもよい。
【００４６】
このように、制御チャネルを有していない非常送のデジタル無線通信システムであっても、個別ショートメッセージ通信を使用することにより受信した移動局が自動的にグループ設定の変更を行なうこと、及び対象移動局からの応答を監視することによりセンター設備からの遠隔操作にてより確実にグループ設定変更し当該グループ通信に参入ことが可能となる。
【００４７】
以上本発明について詳細に説明したが、本発明は、ここに記載された無線通信システムに限定されるものではなく、上記以外の無線通信システムに広く適用することができることは言うまでもない。
【符号の説明】
【００４８】
１００：無線通信システム、１０１：統制局、１１１：回線制御装置、１１２：通信卓、１１３：指令系装置、１２０：基地局、１２１，１２２：アンテナ、１２３：基地ゾーン、１３１−１〜１３１−３：車載局、１３２−１〜１３２−４：携帯局、１３３−１〜１３１−２：可動局、１３４−１：受信専用無線機、４０１：センター設備、４１１：回線制御装置、４１２：通信卓、４１３：指令台、４２０：基地局、４３１〜４３６：移動局、４４１，４４２：電波。
【図１】
2015070387.tif 000003
【図２】
2015070387.tif 000004
【図３】
2015070387.tif 000005
【図４】
2015070387.tif 000006